(57)【要約】      （修正有）【課題】扁平なディスクの見出しに好適なディスク収納ケースを提供する。  【解決手段】ディスク収納ケースＰは、連結部３を介して開閉可能な第１の蓋１および第２の蓋２を備え、第１の蓋１と第２の蓋２との空間に、記録媒体ディスクが収納されてなる扁平なディスク収納ケースＰであって、第１の蓋１の一部を利用して形成された見出し部４と、この見出し部４は、収納される記録媒体ディスクの内容を識別する見出しであり、連結部を支点として回動できる材料で形成され、見出し部４は、連結部を支点として回動し、連結部より外側に突出すると共に、見出し部４に利用された第１の蓋１の一部は、開口部１ａとなっている。【選択図】図８
0003142653.tif 000002
【実用新案登録請求の範囲】
【請求項１】
連結部を介して開閉可能な第１の蓋および第２の蓋を備え、前記第１の蓋と前記第２の蓋との空間に、記録媒体ディスクが収納されてなる扁平なディスク収納ケースであって、
前記第１の蓋の一部を利用して形成された見出し部と、
この見出し部は、収納される前記記録媒体ディスクの内容を識別する見出しであり、前記連結部を支点として回動できる材料で形成され、
前記見出し部は、前記連結部を支点として回動し、前記連結部より外側に突出すると共に、前記見出し部に利用された前記第１の蓋の一部は、開口部となっている
ことを特徴とするディスク収納ケース。
【請求項２】
連結部を介して開閉可能な第１の蓋および第２の蓋を備え、前記第１の蓋と前記第２の蓋との空間に、記録媒体ディスクが収納されてなる扁平なディスク収納ケースであって、
前記第１の蓋の一部を利用して形成された正面視、略矩形形状の見出し部と、
この見出し部は、収納される前記記録媒体ディスクの内容を識別する見出しであり、前記連結部を支点として回動できる材料で形成され、
前記見出し部は、前記連結部に接続され、
前記第１の蓋には、正面視、略矩形形状の前記見出し部の前記連結部に接続される長辺を除く他の長辺と二辺の短辺に沿う開口部が設けられ、この開口部より前記見出し部が突出しないように位置している
ことを特徴とするディスク収納ケース。
【請求項３】
連結部を介して開閉可能な第１の蓋および第２の蓋を備え、前記第１の蓋と前記第２の蓋との空間に、記録媒体ディスクが収納されてなる扁平なディスク収納ケースであって、
前記第１の蓋の一部を利用して形成された正面視、略矩形形状の見出し部と、
この見出し部は、収納される前記記録媒体ディスクの内容を識別する見出しであり、前記連結部を支点として回動できる材料で形成され、
前記見出し部は、前記連結部に接続され、
前記第１の蓋には、正面視、略矩形形状の前記見出し部の前記連結部に接続される長辺を除く他の長辺と二辺の短辺に沿うような開口部が設けられ、
この開口部には、該開口部を横切って前記見出し部と前記見出し部を除いた前記第１の蓋とを接続する部材接続部が形成されている
ことを特徴とするディスク収納ケース。
【請求項４】
見出し部は、記録媒体ディスクの内容を識別する見出しを表示したラベルの貼着面である
ことを特徴とする請求項１〜３の何れか一のディスク収納ケース。
【請求項５】
請求項１記載のディスク収納ケースを少なくとも４個有した一組のディスク収納ケースであって、
前記４個は、第１、第２、第３、第４のディスク収納ケースであり、
前記第１、第２、第３、第４のディスク収納ケースの外周を一致させた積層状態にあっては、正面視、前記第１のディスク収納ケースの第１の見出し部、前記第２のディスク収納ケースの第２の見出し部、前記第３のディスク収納ケースの第３の見出し部、前記第４のディスク収納ケースの第４の見出し部、が重ならないと共に、階段状に形成され、
前記積層状態にあっては、前記第１、第２、第３、第４のディスク収納ケースの順であり、
前記第１のディスク収納ケースと前記第４のディスク収納ケースとは、正面視、前記第４の見出し部を右に見て、前記第４の見出し部を右の状態で、前記第４のディスク収納ケースを１８０°反転すると、前記第１のディスク収納ケースの前記第１の見出し部と前記第４のディスク収納ケースの前記第４の見出し部とが同じ位置に配置する関係にあり、
前記第２のディスク収納ケースと前記第３のディスク収納ケースとは、正面視、前記第３の見出し部を右に見て、前記第３の見出し部を右の状態で、前記第３のディスク収納ケースを１８０°反転すると、前記第２のディスク収納ケースの前記第２の見出し部と前記第３のディスク収納ケースの前記第３の見出し部とが同じ位置に配置する関係になっている
ことを特徴とする一組のディスク収納ケース。
【請求項６】
請求項１記載のディスク収納ケースを少なくとも２個有した一組のディスク収納ケースであって、
前記２個は、第１、第２のディスク収納ケースであり、
前記第１、第２のディスク収納ケースの外周を一致させた積層状態にあっては、正面視、前記第１のディスク収納ケースの第１の見出し部、前記第２のディスク収納ケースの第２の見出し部が重ならないように形成され、
前記積層状態にあっては、前記第１、第２のディスク収納ケースの順であり、
前記第１のディスク収納ケースと前記第２のディスク収納ケースとは、正面視、前記第２の見出し部を右に見て、前記第２の見出し部を右の状態で、前記第２のディスク収納ケースを１８０°反転すると、前記第１のディスク収納ケースの前記第１の見出し部と前記第２のディスク収納ケースの前記第２の見出し部とが同じ位置に配置する関係になっている
ことを特徴とする一組のディスク収納ケース。
【考案の詳細な説明】
【技術分野】
【０００１】
本考案は、ディスク収納ケース及び一組のディスク収納ケースに係り、特に、扁平なディスクの見出しに好適なディスク収納ケース及び一組のディスク収納ケースに関する。
【背景技術】
【０００２】
従来、平行に相対向する一対の主板部と、これら主板部の対応する辺を繋ぐ細長い側板部とを有し、この側板部にラベルを設けるようにしたディスク収納ケースがある（例えば、特許文献１参照）。
このディスク収納ケースにあっては、ディスク収納ケースに厚みがある場合、支障がない。
【０００３】
しかしながら、ディスク収納ケースの厚みが薄くなると、側板部にラベルを取り付けることができないという問題点があった。
【０００４】
【特許文献１】特開平６−２４７４８６号公報
【考案の開示】
【考案が解決しようとする課題】
【０００５】
本考案は、前記した問題点を除去するようにしたディスク収納ケース及び一組のディスク収納ケースを提供することを目的としている。
【課題を解決するための手段】
【０００６】
前記した目的を達成するための本考案のディスク収納ケースは、連結部を介して開閉可能な第１の蓋および第２の蓋を備え、前記第１の蓋と前記第２の蓋との空間に、記録媒体ディスクが収納されてなる扁平なディスク収納ケースであって、前記第１の蓋の一部を利用して形成された見出し部と、この見出し部は、収納される前記記録媒体ディスクの内容を識別する見出しであり、前記連結部を支点として回動できる材料で形成され、前記見出し部は、前記連結部を支点として回動し、前記連結部より外側に突出すると共に、前記見出し部に利用された前記第１の蓋の一部は、開口部となっているものである。
【０００７】
また、請求項２記載のディスク収納ケースは、連結部を介して開閉可能な第１の蓋および第２の蓋を備え、前記第１の蓋と前記第２の蓋との空間に、記録媒体ディスクが収納されてなる扁平なディスク収納ケースであって、前記第１の蓋の一部を利用して形成された正面視、略矩形形状の見出し部と、この見出し部は、収納される前記記録媒体ディスクの内容を識別する見出しであり、前記連結部を支点として回動できる材料で形成され、前記見出し部は、前記連結部に接続され、前記第１の蓋には、正面視、略矩形形状の前記見出し部の前記連結部に接続される長辺を除く他の長辺と二辺の短辺に沿う開口部が設けられ、この開口部より前記見出し部が突出しないように位置しているものである。
【０００８】
また、請求項３記載のディスク収納ケースは、連結部を介して開閉可能な第１の蓋および第２の蓋を備え、前記第１の蓋と前記第２の蓋との空間に、記録媒体ディスクが収納されてなる扁平なディスク収納ケースであって、前記第１の蓋の一部を利用して形成された正面視、略矩形形状の見出し部と、この見出し部は、収納される前記記録媒体ディスクの内容を識別する見出しであり、前記連結部を支点として回動できる材料で形成され、前記見出し部は、前記連結部に接続され、前記第１の蓋には、正面視、略矩形形状の前記見出し部の前記連結部に接続される長辺を除く他の長辺と二辺の短辺に沿う開口部が設けられ、この開口部には、該開口部を横切って前記見出し部と前記見出し部を除いた前記第１の蓋とを接続する部材接続部が形成されているものである。
【０００９】
また、請求項４記載のディスク収納ケースは、請求項１〜３の何れか一のディスク収納ケースにおいて、見出し部は、記録媒体ディスクの内容を識別する見出しを表示したラベルの貼着面である。
【００１０】
また、請求項５記載の一組のディスク収納ケースは、請求項１記載のディスク収納ケースを少なくとも４個有した一組のディスク収納ケースであって、前記４個は、第１、第２、第３、第４のディスク収納ケースであり、前記第１、第２、第３、第４のディスク収納ケースの外周を一致させた積層状態にあっては、正面視、前記第１のディスク収納ケースの第１の見出し部、前記第２のディスク収納ケースの第２の見出し部、前記第３のディスク収納ケースの第３の見出し部、前記第４のディスク収納ケースの第４の見出し部、が重ならないと共に、階段状に形成され、前記積層状態にあっては、前記第１、第２、第３、第４のディスク収納ケースの順であり、前記第１のディスク収納ケースと前記第４のディスク収納ケースとは、正面視、前記第４の見出し部を右に見て、前記第４の見出し部を右の状態で、前記第４のディスク収納ケースを１８０°反転すると、前記第１のディスク収納ケースの前記第１の見出し部と前記第４のディスク収納ケースの前記第４の見出し部とが同じ位置に配置する関係にあり、前記第２のディスク収納ケースと前記第３のディスク収納ケースとは、正面視、前記第３の見出し部を右に見て、前記第３の見出し部を右の状態で、前記第３のディスク収納ケースを１８０°反転すると、前記第２のディスク収納ケースの前記第２の見出し部と前記第３のディスク収納ケースの前記第３の見出し部とが同じ位置に配置する関係になっているものである。
【００１１】
また、請求項６記載の一組のディスク収納ケースは、請求項１記載のディスク収納ケースを少なくとも２個有した一組のディスク収納ケースであって、前記２個は、第１、第２のディスク収納ケースであり、前記第１、第２のディスク収納ケースの外周を一致させた積層状態にあっては、正面視、前記第１のディスク収納ケースの第１の見出し部、前記第２のディスク収納ケースの第２の見出し部が重ならないように形成され、前記積層状態にあっては、前記第１、第２のディスク収納ケースの順であり、前記第１のディスク収納ケースと前記第２のディスク収納ケースとは、正面視、前記第２の見出し部を右に見て、前記第２の見出し部を右の状態で、前記第２のディスク収納ケースを１８０°反転すると、前記第１のディスク収納ケースの前記第１の見出し部と前記第２のディスク収納ケースの前記第２の見出し部とが同じ位置に配置する関係になっているものであるである。
【考案の効果】
【００１２】
請求項１記載のディスク収納ケースによれば、連結部を介して開閉可能な第１の蓋および第２の蓋を備え、前記第１の蓋と前記第２の蓋との空間に、記録媒体ディスクが収納されてなる扁平なディスク収納ケースであって、前記第１の蓋の一部を利用して形成された見出し部と、この見出し部は、収納される前記記録媒体ディスクの内容を識別する見出しであり、前記連結部を支点として回動できる材料で形成され、前記見出し部は、前記連結部を支点として回動し、前記連結部より外側に突出すると共に、前記見出し部に利用された前記第１の蓋の一部は、開口部となっているため、見出し部は、連結部より外側に突出しているため、見出し部が見易く、しかも、見出し部をディスク収納ケースに簡易、且つ、確実に形成することができる等の効果を奏する。
【００１３】
また、請求項２記載のディスク収納ケースによれば、第１の蓋には、正面視、略矩形形状の見出し部の連結部に接続される長辺を除く他の長辺と二辺の短辺に沿う開口部が設けられ、この開口部より前記見出し部が突出しないように位置しているため、運搬等に支障を生じないと共に、ディスク収納ケースの使用にあっては、見出し部を連結部より外側に突出させるように、連結部を支点として回動すれば、見出し部が見易く、しかも、見出し部をディスク収納ケースに簡易、且つ、確実に形成することができる等の効果を奏する。
【００１４】
また、請求項３記載のディスク収納ケースによれば、第１の蓋には、正面視、略矩形形状の見出し部の連結部に接続される長辺を除く他の長辺と二辺の短辺に沿う開口部が設けられ、開口部が設けられ、この開口部には、該開口部を横切って前記見出し部と前記見出し部を除いた前記第１の蓋とを接続する部材接続部が形成されて、見出し部は連結部より外側に突出していないため、運搬等に支障を生じないと共に、ディスク収納ケースの使用にあっては、開口部を横切る部材接続部をナイフ等により切断し、見出し部を連結部より外側に突出させれば、見出し部が見易く、しかも、見出し部をディスク収納ケースに簡易、且つ、確実に形成することができる等の効果を奏する。
【００１５】
また、請求項５記載の一組のディスク収納ケースによれば、第１、第２、第３、第４のディスク収納ケースを外周を一致させた積層状態にあって、正面視、前記第１のディスク収納ケースの第１の見出し部、前記第２のディスク収納ケースの第２の見出し部、前記第３のディスク収納ケースの第３の見出し部、前記第４のディスク収納ケースの第４の見出し部が階段状に形成される際、前記第１のディスク収納ケースと前記第４のディスク収納ケースとは、正面視、前記第４の見出し部を右に見て、前記第４の見出し部を右の状態で、前記第４のディスク収納ケースを１８０°反転すると、前記第１のディスク収納ケースの前記第１の見出し部と前記第４のディスク収納ケースの前記第４の見出し部とが同じ位置に配置する関係にあり、
前記第２のディスク収納ケースと前記第３のディスク収納ケースとは、正面視、前記第３の見出し部を右に見て、前記第３の見出し部を右の状態で、前記第３のディスク収納ケースを１８０°反転すると、前記第２のディスク収納ケースの前記第２の見出し部と前記第３のディスク収納ケースの前記第３の見出し部とが同じ位置に配置する関係とすることにより、第１、第２のディスク収納ケースと２種類のディスク収納ケースで対応することができ、製作コストの低減化をも図ることができる。
【００１６】
また、請求項６記載の一組のディスク収納ケースによれば、第１、第２のディスク収納ケースを外周を一致させた積層状態にあって、正面視、前記第１のディスク収納ケースの第１の見出し部、前記第２のディスク収納ケースの第２の見出し部が重ならないようにする際、前記第１のディスク収納ケースと前記第２のディスク収納ケースとは、正面視、前記第２の見出し部を右に見て、前記第２の見出し部を右の状態で、前記第２のディスク収納ケースを１８０°反転すると、前記第１のディスク収納ケースの前記第１の見出し部と前記第２のディスク収納ケースの前記第２の見出し部とが同じ位置に配置する関係にあることにより、第１、第２のディスク収納ケースと１種類のディスク収納ケースで対応することができ、製作コストの低減化をも図ることができる。
【考案を実施するための最良の形態】
【００１７】
本考案の一実施例であるディスク収納ケース及び一組のディスク収納ケースを図面を参照して説明する。
図１〜図８において、Ｐは記録媒体ディスク１０が収納されてなる扁平なディスク収納ケースで、ディスク収納ケースＰは、例えば、透明又は半透明で、ポリプロピレン等のプラスチックで形成されている。ディスク収納ケースＰ内に収納される記録媒体ディスク１０は、例えば、ＣＤ 、ＤＶＤ、ＭＤ等である。
なお、図１記載のディスク収納ケースＰは、図８に示すように、第１、第４のディスク収納ケースＰ１、Ｐ４ともなる。
ディスク収納ケースＰは、図３に示すように、連結部３を介して開閉可能な第１の蓋１および第２の蓋２を備え、記録媒体ディスク１０は、第１の蓋１と第２の蓋２との空間に収納される。
【００１８】
また、４は第１の蓋１の一部を利用して形成された見出し部で、見出し部４は、収納される記録媒体ディスク１０の内容を識別する見出しであり、連結部３を支点として回動できる材料（例えば、ポリプロピレン）で形成され、見出し部４は、図７及び図８に示すように、連結部３を支点として回動し、連結部３より外側に突出する。
この見出し部４に利用された第１の蓋１の一部は、開口部１ａとなっている（図８参照）。見出し部４は、図８に示すように、記録媒体ディスク１０の内容を識別する見出し（見出しは、例えば、数字の「１」、「２」、「３」、「４」）を表示したラベルＬの貼着面である。
なお、見出し部４は、場合により、ラベルＬを設けず、見出し部４に直接見出しを付する（例えば、サインペンで、見出しを書する。）ようにしても良い。
また、図３に示す５は記録媒体ディスク１０を係止する第１の係止部であり、６はディスク収納ケースＰを閉じた際、第１の係止部５の内壁内に嵌合する第２の係止部である。
【００１９】
従って、この実施例のディスク収納ケースＰの見出し部４は、連結部３を支点として回動し、連結部３より外側に突出すると共に、見出し部４に利用された第１の蓋１の一部は、開口部１ａとなっているため、見出し部４をディスク収納ケースＰに簡易に、しかも、確実に取り付けることができ、更に、該見出し部４は、連結部３より外側に突出しているため、見易い等の効果を奏する
【００２０】
なお、上述の見出し部４は、ディスク収納ケースＰの使用時には、連結部３より外側に突出しているが、ディスク収納ケースＰの未使用時、例えば、工場等の出荷時にあっては、見出し部４が連結部３より外側に突出していると、破損等の不具合があることから、見出し部４は、図１に示すように、連結部３より外側に突出していない。
即ち、見出し部４は、図５に示すように、第１の蓋１の一部を利用して形成され、正面視、略矩形形状ＡＢＣＤとなっている。この見出し部４は、連結部３に接続され、また、第１の蓋１には、正面視、略矩形形状の見出し部４の連結部３に接続される長辺ＡＤを除く他の二辺の短辺ＡＢ、ＣＤと長辺ＢＣに沿うような開口部１ａが設けられ、この開口部１ａには、該開口部１ａを横切って見出し部４と見出し部４を除いた第１の蓋１とを接続する部材接続部１ｂ、１ｂ（図５参照）が形成されている。
【００２１】
従って、ディスク収納ケースＰの未使用時には、見出し部４は連結部３より外側に突出していないため、運搬等に支障を生じないと共に、ディスク収納ケースＰの使用にあっては、開口部１ａを横切る部材接続部１ｂ、１ｂを図示しないナイフ等により切断し、見出し部４を、図７の一点鎖線で示すように、連結部３を支点として回動させて、見出し部４を、連結部３より外側に突出させる。
つまり、第１の蓋１には、正面視、略矩形形状の見出し部４の連結部３に接続される長辺ＡＤを除く他の長辺ＢＣと二辺の短辺ＡＢ、ＣＤに沿うような開口部１ａが設けられ、この開口部１ａには、該開口部１ａを横切って見出し部４と見出し部４を除いた第１の蓋１とを接続する部材接続部１ｂ、１ｂが形成されて、見出し部４は連結部３より外側に突出していないため、運搬等に支障を生じないと共に、ディスク収納ケースＰの使用にあっては、開口部１ａを横切る部材接続部１ｂ、１ｂをナイフ等により切断し、見出し部４を連結部３より外側に突出させれば、見出し部４が見易く、しかも、見出し部４をディスク収納ケースＰに簡易、且つ、確実に形成することができる。
【００２２】
なお、上述の実施例においては、部材接続部１ｂ、１ｂを設けたが、場合により、図１３及び図１４に示すように、部材接続部１ｂ、１ｂを省略することもできる。
即ち、上述の実施例と同様に、連結部３を介して開閉可能な第１の蓋１および第２の蓋２を備え、第１の蓋１と第２の蓋２との空間に、記録媒体ディスク１０が収納されてなる扁平なディスク収納ケースである。
見出し部４は、第１の蓋１の一部を利用して形成された正面視、略矩形形状ＡＢＣＤとなっている。この見出し部４は、上述の実施例と同様に、収納される記録媒体ディスク１０の内容を識別する見出しであり、連結部３を支点として回動できる材料で形成され、見出し部４は、連結部３に接続され、第１の蓋１には、正面視、略矩形形状の見出し部４の連結部３に接続される長辺ＡＤを除く他の長辺ＢＣと二辺の短辺ＡＢ、ＣＤに沿う開口部１a’が設けられ、この開口部１a’より見出し部４が突出しないように位置している（図１４参照）。
【００２３】
また、図８に示す一組のディスク収納ケースは、図１乃至図７に記載したディスク収納ケースＰ（Ｐ１、Ｐ４）を２個有した第１、第４のディスク収納ケースＰ１、Ｐ４であり、第１、第４のディスク収納ケースＰ１、Ｐ２の外周を一致させた積層状態にあっては（図１１及び図１２参照）、正面視、第１のディスク収納ケースＰ１の第１の見出し部４１、第４のディスク収納ケースＰ４の第４の見出し部４４が重ならないように形成され、前記積層状態にあっては、第１、第４のディスク収納ケースＰ１、Ｐ４の順となっている。
そして、第１のディスク収納ケースＰ１と第４のディスク収納ケースＰ４とは、正面視、第４のディスク収納ケースＰ４の第２の見出し部４４を右に見て、第２の見出し部４４が右の状態で、第４のディスク収納ケースＰ４を１８０°反転すると、第１のディスク収納ケースＰ１の第１の見出し部４１と第４のディスク収納ケースＰ４の第４の見出し部４４とが同じ位置に配置する関係になっている。
つまり、図８に示すように、第４のディスク収納ケースＰ４は、第１のディスク収納ケースＰ１の表裏を逆にすることにより得られ、１種類のディスク収納ケースＰで対応することができ、製作コストの低減化をも図ることができる。
【００２４】
なお、一組のディスク収納ケースＰ（Ｐ１、Ｐ４）は、図８記載に限らず、図９及び図１０に示すディスク収納ケースＰ（Ｐ２、Ｐ３）においても、同様に適用することができる。異なる点は、見出し部４の高さ位置である。
即ち、図１０に示す一組のディスク収納ケースは、図９に記載したディスク収納ケースＰ（Ｐ２、Ｐ３）を２個有した第２、第３のディスク収納ケースＰ２、Ｐ３であり、第２、第３のディスク収納ケースＰ２、Ｐ３の外周を一致させた積層状態にあっては（図１１及び図１２参照）、正面視、第２のディスク収納ケースＰ２の第１の見出し部４２、第３のディスク収納ケースＰ３の第３の見出し部４３が重ならないように形成され、前記積層状態にあっては、第２、第３のディスク収納ケースＰ２、Ｐ３の順となっている。
そして、第２のディスク収納ケースＰ２と第３のディスク収納ケースＰ３とは、正面視、第３のディスク収納ケースＰ３の第３の見出し部４３を右に見て、第２の見出し部４２が右の状態で、第３のディスク収納ケースＰ３を１８０°反転すると、第２のディスク収納ケースＰ２の第２の見出し部４２と第３のディスク収納ケースＰ３の第３の見出し部４３とが同じ位置に配置する関係になっている。
つまり、図１０に示すように、第３のディスク収納ケースＰ３は、第２のディスク収納ケースＰ２の表裏を逆にすることにより得られ、１種類のディスク収納ケースＰで対応することができ、製作コストの低減化をも図ることができる。
【００２５】
また、上述した実施例においては、一組のディスク収納ケースを少なくとも、２個のディスク収納ケースＰ、Ｐで形成するようにしたが、本願考案にあっては、これに限らず、図１１及び図１２に示すように、一組のディスク収納ケースは、第１、第２、第３、第４のディスク収納ケースＰ１、Ｐ２、Ｐ３、Ｐ４と少なくとも４個から構成されていても良い。
即ち、第１、第２、第３、第４のディスク収納ケースＰ１、Ｐ２、Ｐ３、Ｐ４の外周を一致させた積層状態にあっては、正面視、第１のディスク収納ケースＰ１の第１の見出し部４１、第２のディスク収納ケースＰ２の第２の見出し部４２、第３のディスク収納ケースＰ３の第３の見出し部４３、第４のディスク収納ケースＰ４の第４の見出し部４４が重ならないと共に、階段状に形成され、前記積層状態にあっては、第１、第２、第３、第４のディスク収納ケースＰ１、Ｐ２、Ｐ３、Ｐ４の順となっている。
【００２６】
そして、第１のディスク収納ケースＰ１と第４のディスク収納ケースＰ４（図８参照）とは、上述の実施例と同様に、正面視、第４の見出し部４４を右に見て、第４の見出し部４４が右の状態で、第４のディスク収納ケースＰ４を１８０°反転すると、第１のディスク収納ケースＰ１の第１の見出し部４１と第４のディスク収納ケースＰ４の第４の見出し部４４とが同じ位置に配置する関係にあり、且つ、第２のディスク収納ケースＰ２と第３のディスク収納ケースＰ３（図１０参照）とは、上述の実施例と同様に、正面視、第３の見出し部４３を右に見て、第３の見出し部４３が右の状態で、第３のディスク収納ケースＰ３を１８０°反転すると、第２のディスク収納ケースＰ２の第２の見出し部４２と第３のディスク収納ケースＰ３の第３の見出し部４３とが同じ位置に配置する関係になっている。
つまり、第４のディスク収納ケースＰ４は、第１のディスク収納ケースＰ１の表裏を逆にすることにより得られ、第３のディスク収納ケースＰ３は、第２のディスク収納ケースＰ２の表裏を逆にすることにより得られ、２種類のディスク収納ケースＰ（図３参照）、Ｐ（図９参照）で対応することができ、製作コストの低減化をも図ることができる。
【図面の簡単な説明】
【００２７】
【図１】図１は、本考案の一実施例のディスク収納ケース（第１又は第４のディスク収納ケース）の概略的正面図である。
【図２】図２は、図１の２−２線による概略的断面図である。
【図３】図３は、図１のディスク収納ケースを開いた状態の概略的正面図である。
【図４】図４は、図３の４−４線による概略的断面図である。
【図５】図５は、図３の一部を拡大して示す概略的一部拡大正面図である。
【図６】図６は、図５の６−６線による概略的断面図である。
【図７】図７は、図５の７−７線による概略的断面図である。
【図８】図８は、図３のディスク収納ケースを閉じたものと図３の閉じたディスク収納ケースの表裏を逆にしたディスク収納ケースとで構成された一組のディスク収納ケースの概略的斜視図である。
【図９】図９は、図３のディスク収納ケースと異なる他の実施例の（第２又は第３のディスク収納ケース）の概略的正面図である。
【図１０】図１０は、図９のディスク収納ケースを閉じたものと図９の閉じたディスク収納ケースの表裏を逆にしたディスク収納ケースとで構成された一組のディスク収納ケースの概略的斜視図である。
【図１１】図１１は、図８及び図１０のディスク収納ケース（一組のディスク収納ケース）の外周を揃えて積層した状態の概略的斜視図である。
【図１２】図１２は、図１１の概略的正面図である。
【図１３】図１３は、図５の他の実施例を示す概略的一部拡大正面図である。
【図１４】図１４は、図１３の１４−１４線による概略的断面図である。
【符号の説明】
【００２８】
Ｐ     …ディスク収納ケース
１     …第１の蓋
１ａ   …開口部
２     …第２の蓋
３     …連結部
４     …見出し部
１０   …記録媒体ディスク
【図１】
0003142653.tif 000003
【図２】
0003142653.tif 000004
【図３】
0003142653.tif 000005
【図４】
0003142653.tif 000006
【図５】
0003142653.tif 000007
【図６】
0003142653.tif 000008
【図７】
0003142653.tif 000009
【図８】
0003142653.tif 000010
【図９】
0003142653.tif 000011
【図１０】
0003142653.tif 000012
【図１１】
0003142653.tif 000013
【図１２】
0003142653.tif 000014
【図１３】
0003142653.tif 000015
【図１４】
0003142653.tif 000016